Podtech/llm-jp-corpus-v4-ja_patent huggingface dataset:
(57)【要約】【課題】    簡単且つ楽に回転方向を制御することができ、より機敏な操縦を可能にする、車輪の回転方向制御機構を提供する。【解決手段】    主に一対の殼体と、固定軸と、２つの弾性片とを備え、前記殼体内の中央に円形槽を設け、該円形槽の左右両端を斜め上方向に延伸して孤形槽を形成し、外側表面に複数のＬ字形固定槽を設け、該殻体の間に設置される前記固定軸は表面に対称の位置決め突起を備え、Ｕ字形の前記弾性片を該殼体の円形槽内に設置し、該弾性片の両端が前記固定軸の位置決め突起を支持すると共に、前記殼体を車輪の通孔に挿入した後、該殻体の前記孤形槽が前記固定軸の位置決め突起に沿って滑動すると同時に前記弾性片により位置決めされ、車輪を左右に振り動かして左右の回転方向を制御する。【選択図】    図２
0003102747.tif 000002
【実用新案登録請求の範囲】
【請求項１】
一対の殼体と、固定軸と、２つの弾性片と、２つのホイールキャップと、２つの輪状ゴムを含み、前記殻体は、内側中央に円形槽を備え、該円形槽の両側をそれぞれ斜め上方向に延伸して孤形槽を形成し、外側表面中央部は円弧状を呈し、その両側に複数のＬ字形固定槽を設け、前記固定軸は、前記殻体の間に設置され、該固定軸の軸方向に軸孔を設け、相対する２表面上に対称の位置決め突起を設置し、前記弾性片はＵ字形を呈し、前記殼体に設けた円形槽に設置され、その両端がそれぞれ前記固定軸の位置決め突起を支持し、前記ホイールキャップは嵌合部を備え、表面に突起部を設け、該突起部に中心孔を形成し、該中心孔内側に、前記殻体の固定槽に対応する固定部を形成し、前記ホイールキャップの嵌合部を被覆して前記輪状ゴムを設置すると共に、前記殼体を組立て後、車輪の通孔に穿通して設置し、該殼体の両端に前記ホイールキャップを設置し、車輪が走行状態にあるとき、前記殼体の孤形槽が前記固定軸の位置決め突起に沿って滑動し、車輪を左右方向に振れ動かし、車輪の回転方向の制御を行うことが出来ることを特徴とする、車輪の回転方向制御機構。
【考案の詳細な説明】
【技術分野】
【０００１】
本考案は、車輪の回転方向の制御構造に関し、特に、走行時において車輪を左右に振り動かし、左右の回転方向を制御する、車輪の回転方向制御機構に関する。
【背景技術】
【０００２】
一般に車体に使用される車輪は、通常車輪の中心に軸受を設け、該軸受の中心孔を車体に固定する方法が採られている。このような固定式の車輪は、走行時に使用者が体の姿勢や動作でその回転方向を制御しなければならず、操縦が難しく、操縦技術に熟練を要するため、往々にして使用者の忍耐力と、運動に対する興味を失わせ、理想的とは言えない。
【考案の開示】
【考案が解決しようとする課題】
【０００３】
本考案の主な目的は、簡単で楽に回転方向を制御することができ、より機敏な操縦を可能にする、車輪の回転方向制御機構を提供することにある。
【課題を解決するための手段】
【０００４】
本考案の車輪の回転方向制御機構は、一対の殼体と、固定軸と、２つの弾性片と、２つのホイールキャップと、２つの輪状ゴムと、を備え、前記殼体内の中央に円形槽を設け、該円形槽の左右両端を斜め上方向に延伸して孤形槽を形成し、該殼体の表面に複数のＬ字形固定槽を設け、表面に対称の位置決め突起を備えた前記固定軸を該殻体の間に設置し、Ｕ字形の前記弾性片を該殼体の円形槽内に設置し、該弾性片の両端は前記固定軸の位置決め突起を支持し、前記殼体を車輪の通孔に挿入した後、該殻体の前記孤形槽が前記固定軸の位置決め突起に沿って滑動すると共に、前記弾性片により位置決めされ、車輪を左右に振り動かして左右の回転方向の制御を構成すると共に、前記ホイールキャップに突起部を設け、且つ、該突起部の内側に固定部を設け、該固定部を前記殼体の固定槽に係合し、該ホイールキャップを車輪の両側に固定し、該ホイールキャップ周縁に輪状ゴムを設置し、汚れや埃の殻体内への進入を防止する。
【考案の効果】
【０００５】
本考案の車輪の回転方向制御機構は、略円形の殼体と、位置決め突起を備えた固定軸により、簡単な操縦で車輪の回転方向の制御を行なうことができ、実用性と新規性を備えた設計である。
【考案を実施するための最良の形態】
【０００６】
図１、図２及び図３に、本考案の立体斜視図、立体分解図及び断面図をそれぞれ示す。本考案は主に一対の殼体1と、固定軸と、ホイールキャップと、を備え、前記殼体1内部中央に円形槽11を設け、該円形槽11の両側をそれぞれ斜め上方向に延伸して孤形槽12を形成し、さらに、該殼体1の外側表面中央部は円弧状を呈し、その両側にそれぞれＬ字形の固定槽13を複数形成する。前記固定軸2は、前記殼体1の間に挟まれて設置され、軸方向に軸孔21を備え、相対する２側面の表面上に対称の位置決め突起22を設け、前記２つのＵ字形の弾性片3を前記殼体1の円形槽11内に設置し、前記固定軸2を挟んで前記殻体１を組み立てると、該固定軸2の前記位置決め突起22が該殻体１の孤形槽12内に位置し、同時に前記弾性片3により支持され、位置決めされる。前記ホイールキャップ4は嵌合部41を備え、表面に突起部42を設け、該突起部42の中心に中心孔43を形成し、且つ、該中心孔43内側に、前記殼体1の固定槽13に対応する固定部44を形成する。
【０００７】
前述の構成に基づき、該殼体1を車輪5の通孔51に穿通した後、前記ホイールキャップ4を該殼体1の両端に被せ、前記固定部44を前記固定槽13に嵌合して固定し、且つ、該ホイールキャップ4の嵌合部41に輪状ゴム6を設置して密閉状態を形成し、汚れや埃の前記殼体1内への進入を防ぐ。車輪5が走行時にあるとき、簡単な操縦で、殼体1の孤形槽12が固定軸2の位置決め突起22に沿って滑動すると共に弾性片3により位置決めされるため、車輪5が左右方向に揺れ動かされ、左右の回転方向の制御を行なうことができる。
【０００８】
図４及び図５に本考案の動作図を示す。本考案は、常態下において、前記固定軸2上の位置決め突起22が弾性片3の張力により位置決めされて中央の位置を維持し、使用者が身体や姿勢、または動作で操縦するとき、孤形槽12が前記位置決め突起22に沿って滑動し、相対的に、固定軸2が固定された状態下において車輪5を左右方向に振り動かし、左右の回転方向の制御を行なう。
【図面の簡単な説明】
【０００９】
【図１】本考案の立体斜視図である。
【図２】本考案の立体分解図である。
【図３】本考案の断面図である。
【図４】本考案の常態を示す断面図である。
【図５】本考案の動作時を示す断面図である。
【符号の説明】
【００１０】
1      殼体       
11    円形槽  
12    孤形槽
13    固定槽
2      固定軸 
21    軸孔 
22    位置決め突起
3      弾性片
4      ホイールキャップ  
41    嵌合部
42    突起部
43    中心孔 
44    固定部
5      車輪  
51    通孔
6      輪状ゴム
【図１】
0003102747.tif 000003
【図２】
0003102747.tif 000004
【図３】
0003102747.tif 000005
【図４】
0003102747.tif 000006
【図５】
0003102747.tif 000007
(57)【要約】【課題】  特に、高齢者やホームヘルパー等が、簡単にセットでき、短時間で布団乾燥ができる布団乾燥機用部品。【解決手段】  布団乾燥機を使用して、温風を布団５の中の密閉空間部内に供給する布団乾燥機用部品であって、温風吹き出し部１は内部が中空で表面が網目状からなる球状または楕円状であり、且つ棒状の折れ曲がり難い温風導入ホース部２で、前記温風吹き出し部１と布団乾燥機本体４の温風吹き出し部３とを連結可能にした布団乾燥機用部品を提供する。【選択図】    図１
0003102774.tif 000002
【実用新案登録請求の範囲】
【請求項１】
布団乾燥機を使用して、温風を布団の中の密閉空間部内に供給する布団乾燥機用部品であって、温風吹き出し部は内部が中空で表面が網目状からなる球状または楕円状であり、且つ棒状の折れ曲がり難い温風導入ホース部で、前記温風吹き出し部と、布団乾燥機の温風吹き出し部とを連結可能にしたことを特徴とする布団乾燥機用部品。
【考案の詳細な説明】
【技術分野】
【０００１】
本考案は、布団乾燥機に係わり、特に布団の中に挿入される部品に関する。
【背景技術】
【０００２】
従来、布団乾燥機としては、通気性を有する袋体を布団の間にセットし温風を吹き出して乾燥している。ところで、温風吹き出し部については、布団を畳んだ状態のまま乾燥できるように、凹溝が設けられた扁平状の挿入部を有し、この扁平部には温風吹き出し口が複数開口しているものがある（例えば、特許文献１参照。）。又、本体吹き出し部の先端に、本体吹き出し部と略同径の中空体で、その側面に適数の小穴を具備する温風吹き出し部を備えたものがある（例えば、特許文献２参照。）。又、上記の略同径の中空体部を、繰り出し竿の如く伸縮自在で、且つその側面に適数の小穴を具備する温風吹き出し部を備えたものがある（例えば、特許文献３参照。）。
以下、従来の布団乾燥機用部品について説明する。
【特許文献１】特開平０６−３０４３９５号公報
【特許文献２】実開昭６２−１９２３９２号公報
【特許文献３】実開昭６２−１９６１９１号公報
【考案の開示】
【考案が解決しようとする課題】
【０００３】
従来の構成によると、布団の間に袋体を広げてセットするという面倒があり、又、袋体の微細な繊維間より温風を吹き出すので長時間を要すという課題がある。又、前記特許文献に記載した発明では、いずれも構造上布団間に温風を吹き出す空間部が作り難く布団の乾燥に時間を要するという課題がある。本考案は、特に高齢者や、ホームヘルパー等が、簡単にセットでき短時間で布団の乾燥ができる布団乾燥機用部品を提供することにある。
【課題を解決するための手段】
【０００４】
布団乾燥機を使用して、温風を布団の中の密閉空間部内に供給する布団乾燥機用部品であって、温風吹き出し部は内部が中空で表面が網目状からなる球状または楕円状であり、且つ棒状の折れ曲がり難い温風導入ホース部で、前記温風吹き出し部と、布団乾燥機の温風吹き出し部（以下、本体の温風吹き出し部と言う）とを連結可能にした布団乾燥機用部品を提供する。
【考案の効果】
【０００５】
以上のように、請求項１記載の考案によれば、温風吹き出し部は、内部が中空で表面が網目状からなる球状または楕円状であり、且つ棒状の折れ曲がり難いホース部に連結されているから掛け布団を少し持ち上げて、ホースの端を押し込むだけで滑りも良く簡単にセットでき布団の中に空間部を作り、網目状の吹き出し部より温風を吹き出すので短時間での布団乾燥が可能になる。そのため、高齢者や、滞在時間の短いホームヘルパー等に有効である。
【０００６】
又、この部品は布団のどの方向からも挿入セットすることができ、布団のサイズに制限されず例えば、乳児、子供用布団にも使用することができる。
【０００７】
温風吹き出し部とホース部は、あらかじめ連結しておいてもよいが、着脱可能にしておくと部品をばらせて狭い所でも収納できる。
【考案を実施するための最良の形態】
【０００８】
次に、本考案の布団乾燥機用部品を実施例となる図面を参照して説明する。布団の中に簡単にセットできるよう温風吹き出し部は、内部が中空で表面が網目状からなる球状または楕円状であり、棒状の折れ曲がり難い温風導入ホース部に連結されている。温風吹き出し部は網目状のため多数の温風吹き出し口を有する。
【０００９】
図面１は、球状の温風吹き出し部１を有する例である。温風吹き出し部１は布団５の中に挿入し易く適度な空間部を作る、直径２０〜４０ｃｍ程度が好ましい。
【００１０】
温風吹き出し部１と連結される温風導入のホース部２は、握り易く又、本体温風吹き出し部３より吹き出す温風量を充分に送り出せる程度の、内径４〜８ｃｍ程度が好ましく、長さは、ほぼ布団中央部に温風吹き出し部１が設置できる範囲６０〜１００ｃｍ程度が好ましい。
【００１１】
連結された温風吹き出し部１と温風導入のホース部２は、金属製でも樹脂製でもよいが、作動中の温度や接触等配慮すれば、熱伝導の低い樹脂製例えばプラスチック等が好ましい。
【００１２】
温風導入ホース部２の先端と本体の吹き出し部３は、非通気性の例えばナイロン布等で筒型を形成しマジックファスナー（登録商標）等で固定され連結される。布団乾燥機本体４で発生した温風は温風導入ホース部２を通り温風吹き出し部１より温風を吹き出して、布団５を乾燥する。
【図面の簡単な説明】
【００１３】
【図１】本考案の実施例となる布団乾燥機用部品の使用状態を示す説明図。
【符号の説明】
【００１４】
１  温風吹き出し部
２  温風導入ホース部
３  布団乾燥機本体温風吹き出し部
４  布団乾燥機本体
５  布団
【図１】
0003102774.tif 000003
(57)【要約】      （修正有）【課題】従来の額縁神棚や神殿には設置場所として家具などの置物や棚等の上面にのせるか立てかけるなどし設置場所も限定される、また宗教色も強く美術的に鑑賞する感覚に乏しい。現代の洋式建築の洋間，和室や廊下などいろいろな設置場所に簡単に取り付けやすいマッチしたデザインの美術的立体額縁神殿を提供する。【解決手段】美術立体額縁神殿外枠１に付属する立方体ケース２に立体ミニ模型神殿本体３や立体木樹４など神殿用補助部品をバランスよく配置する。【選択図】図１
0003102178.tif 000002
【実用新案登録請求の範囲】
【請求項１】
美術額縁に奥行きのある立方体箱を装着した額縁内枠になる立方体ケース部に立体的に神殿を組み込んだ美術立体額縁神殿。
【考案の詳細な説明】
【技術分野】
【０００１】  本発明は宗教的でなく芸術的に美術鑑賞するための美術立体額縁ケースに装着した美術立体額縁神殿に関する。
【背景技術】
【０００２】  従来の額縁神棚や神殿には宗教色が強く祈願用紙、お札、御神体の絵、丸鏡、社殿の写真等の収納可能を施したものが多い、叉設置場所として家具、屋内置き物等の上面や棚内に立て掛ける等の手段がある特許文献１参照。また、お守り札、宝くじ、願い事記入紙等を入れる神殿を施したものがある実用文献１参照。【０００３】
【特許文献１】特開平６−３４３５４３号
【実用文献１】
登録第３０１３７０９号
【考案の開示】
【考案が解決しようとする課題】
【０００４】  従来はお札、お守り、宝くじ等の収納出きる簡易神棚や簡易木枠額縁は存在したがあまりにも宗教色が強く棚や家具上面に置き、芸術的に製作した立体額縁神殿を室内に設置し美術的に鑑賞する感覚に乏しい。
【課題を解決するための手段】
【０００５】  本発明は奥行きのある美術額縁の立方体の額縁内枠の特殊ケース部に、模型神殿と小物補助部品を立体的に遠近画技方法で全景にバランスよく芸術的に配置する、また願い事記入紙、受験番号紙、宝くじ等を簡単に出し入れ出きるお賽銭箱デザイン収納箱とで構成する。
【考案の効果】
【０００６】  本発明の美術立体額縁神殿は宗教的でなく芸術的に精密に立体的に製作した本体神殿と全景レイアウト補助部品とからなり、お札、御神体、護摩札などを入れるのはあくまで補助的であり美術鑑賞を主体とした美術立体額縁製品のため奥行のある東洋美術として応接間や和室にマッチし美術観と癒し効果がある。、
【考案を実施するための最良の形態】
【実施例】
【０００７】  以下、添付図面に従って実施例を説明する。
【図１】
１美術立体額縁外枠に２の立方体ケース内に３立体ミニ模型の神殿本体を組み込み叉４の立体木樹などの神殿用補助部品をバランスよく配置して接着完成する、
次に応用参考図、応用例の説明として
【図２】
鍵収納箱の５ケース部と６立体神殿本体内蔵フタに７錠前を取り付た製品や
【図３】
は図２の収納開き図で８内部板に９鍵を取付けた図と
【図４】
は子供や老人の迷子ナビゲーター装置内臓鍵収納箱で１１の迷子信号送信子機にて１０のナビゲーター地図画像にリアルタイムに位置表示ができる画面付収納箱応用参考例で
【図５】
は薄型の立体神殿本体を組込んだ掛け軸型応用製品例であり美術的にまた癒し効果を高める事が出きる。
【図面の簡単な説明】
【０００８】
【図１】美術立体額縁神殿の斜視図である。
【図２】美術立体額縁神殿付鍵収納箱の一例を示す斜視図である。
【図３】図２の開扉時の斜視図である。
【図４】図３の鍵収納箱に迷子ナビゲーター装置内臓の斜視図である。
【図５】薄型美術立体額縁神殿本体内臓の掛け軸図である。
【符号の説明】
【０００９】１    美術立体額縁外枠。
２    立方体ケース。
３    ミニ模型神殿本体。
４    立体木樹。
５    鍵収納箱ケース部。
６    立体神殿内臓フタ。
７    錠前。
８    内部板。
９    格納鍵。
１０  迷子ナビゲーター装置画面。
１１  迷子信号送信子機。
【図１】
0003102178.tif 000003
【図２】
0003102178.tif 000004
【図３】
0003102178.tif 000005
【図４】
0003102178.tif 000006
【図５】
0003102178.tif 000007
(57)【要約】【課題】単品の工具では緩める事が出来ないボルトを緩めれるようにする。その作業は、人がやっと入る様な狭い所でも出来るようにする。【解決手段】  金属棒１の先を曲げ、曲がった先を輪２にして、その輪２にネジ回し工具を差して梃子の力を与えられるようにした。【選択図】図１
0003102179.tif 000002
【実用新案登録請求の範囲】
【請求項１】
先の曲がった金属棒１と、その先の輪２からなり、その輪２にスパナなどのネジ回し工具を差し込んで、工具に一層の力を与えられる道具。
【考案の詳細な説明】
【考案が解決しようとする課題】
【０００１】    従来、パイプを利用して、スパナなどのネジ回し工具の柄を延長して、ネジに力を加えて回す手法は知られていたが、パイプは置き場所に困り、大型自動車の下の様な狭い所では、長すぎて使えない問題を有していた。
【課題を解決するための手段】
【０００２】    スパナやレンチなどでボルト類の頭を回す時、その柄に輪が付いて曲がった金属棒の輪を差し込み、金属棒の曲がっている方向にスパナやレンチを回すことで、ボルト頭に力を一層加えて、早く回すようにした。
【実施例】
【０００３】    先が曲がったメガネレンチのボックスを、スパナに差して、レンチの先が曲がった方向にスパナもろとも回した所、硬く締まったボルトが緩んだ。
【考案の効果】
【０００４】    短い補助柄を差すだけで、短いスパナなどのネジ回し工具を、長い工具同様に使用出来、パイプの補助柄が使えない狭い作業場でも、硬く締まったボルトを緩める事が出来る。さらに、本考案は、壁にかけられる構造の物体なので、置き場所に困らない。
【図面の簡単な説明】
【図１】補助握りの斜視図である。
【図２】補助握りの横からの断面図である。
【符号の説明】
１  金属棒
２  輪
【図１】
0003102179.tif 000003
【図２】
0003102179.tif 000004
(57)【要約】      （修正有）【課題】単純かつ小規模な構造で、美観上も優れ、表示部自体の補強も兼ねる折りたたみ保安資材の可動部案内孔における補強構造を提供する。【解決手段】板状の部材である表示部１と、表示部両端に枢設された支柱部２a,２bにより構成され、使用時は支柱部が表示部両端より垂下され、格納時は支柱部が枢軸４a,４bを中心に略９０度回転する形態変化し、支柱部には枢軸の近傍に支柱部より表示部を面方向に貫通するピンが突設、あるいは枢設され、それに対応して表示部には支柱部が枢設された面に、支柱部が略９０度回転した場合に支柱部のピンが表示部上を、枢軸部を中心に回転移動する軌跡に沿って長孔状の案内孔を両支柱部に対応して設け、使用時の変形を抑止する様に構成された保安用資材において、案内孔端部と枢軸との当接点に、表示部端部より嵌入、あるいは挿入された補強体によって案内孔端部を内部より補強して構成される。【選択図】図２
0003102180.tif 000002
【実用新案登録請求の範囲】
【請求項１】
板状の部材である表示部と、表示部両端に枢設された支柱部により構成され、主に使用時は支柱部が表示部両端より垂下され、主に格納時は支柱部が枢軸を中心に略９０度回転する形態変化を成し、支柱部には枢軸の近傍に支柱部より表示部を面方向に貫通するピンが突設、あるいは枢設され、それに対応して表示部には支柱部が枢設された面に、支柱部が略９０度回転した場合に支柱部のピンが表示部上を、枢軸部を中心に回転移動する軌跡に沿って長孔状の案内孔を両支柱部に対応して設け、使用時の変形を抑止する様に構成された保安用資材において、案内孔端部と枢軸との当接点に、表示部端部より嵌入、あるいは挿入された補強体によって案内孔端部を内部より補強した事を特徴とする保安用資材の可動部案内孔における補強構造。
【考案の詳細な説明】
【技術分野】
【０００１】  本考案は主として工事用、交通等の規制用に使用される携帯用折りたたみ保安資材の改良に関する。
【背景技術】
【０００２】  保安資材おいては、樹脂、木材等の表示部に直接可動部案内孔が穿設されていた。
【考案の開示】
【考案が解決しようとする課題】
【０００３】  直接穿設された可動部案内孔においては、使用、格納の繰り返しにより案内孔端部がピンとの接触により変形し、使用時において所定の正しい角度に脚部を開く事が不可能になり、かつ構造上不安定になっていた。
また補強方法についても表示部表面に補強材を沿設する方法では美観上好ましく無く、あるいは表示部に干渉する問題があった。
本考案は上記の事情に鑑みてなされたもので、その目的はより単純かつ小規模な構造で美観上も優れ、表示部自体の補強も兼ねる補強構造である。
【課題を解決しようとする手段】
【０００４】  板状の部材である表示部と、表示部両端に枢設された支柱部により構成され、主に使用時は支柱部が表示部両端より垂下され、主に格納時は支柱部が枢軸を中心に略９０度回転する形態変化を成し、支柱部には枢軸の近傍に支柱部より表示部を面方向に貫通するピンが突設、あるいは枢設され、それに対応して表示部には支柱部が枢設された面に、支柱部が略９０度回転した場合に支柱部のピンが表示部上を、枢軸部を中心に回転移動する軌跡に沿って長孔状の案内孔を両支柱部に対応して設け、使用時の変形を抑止する様に構成された保安用資材において、案内孔端部と枢軸との当接点に、表示部端部より嵌入、あるいは挿入された補強体によって案内孔端部を内部より補強した事を特徴とするものである。
【考案の効果】
【０００５】  本考案によれば単純かつ小規模な構造で、美観上も優れ、表示部自体の補強も兼ねる補強が可能になる。
【考案を実施する為の最良の形態】
【０００６】  携帯用折りたたみ保安材各部は金属、樹脂、あるいは木のいずれかを適所に配し、本考案にかかる補強材は金属等の硬質材を使用して構成される。
【０００７】  以下、本発明の実施の形態を図面に基づいて説明する。図１及び図２に示される如く本発明にかかる携帯用折りたたみ保安資材は主に符号１である表示部と符号２ａである支柱部甲及び符号２ｂである支柱部乙により構成される。
【０００８】  表示部と支柱部甲及び乙は表示部両端においてそれぞれ符号４ａ及び符号４ｂである、回転運動を保障された枢軸部甲もしくは乙を介して連枢される。
【０００９】  また図２に示される如く支柱部甲、乙にはそれぞれ枢軸部近傍に５ａ及び符号５ｂであるピン甲、乙が設けられる。
【００１０】  表示部には、各図に示される如く湾曲した長孔状の符号３ａ及び符号３ｂである案内孔甲、乙が、支柱部のピン甲、乙が表示部上を、枢軸部を中心に回転移動する軌跡に沿って穿設される。
【００１１】  この時案内孔が穿設される範囲は格納時の支柱部と表示部の成す角度を０度とし、使用時における角度を９０度とする場合において、０度の位置より９０度の位置に至るまでとする。
【００１２】  そして符号５ａであるピン甲が符号３ａである案内孔甲の端部壁に当接し、当該保安資材全体の変形を抑止する。
【００１３】  他方のピン乙、案内孔乙の関係も同様である。
【００１４】  この時、図３において示される如く、表示部底面より符号６ａである補強材甲が、図上方へ嵌入、あるいは挿入され、その側面を案内孔端部へ直近させる。
【００１５】  従って当該案内孔端部は、実質的に硬質材により製作された補強体により充実されている事になり、これにより端部の変形を抑止する。
【００１６】  補強体本体は釘、あるいは螺旋釘、ボルト、その他硬質の棒状資材を想定し、表示部の素材、形状等の条件により適材を選定するものとする。
【００１７】  一方保安資材本体の使用時は図１に示される如く市販の保持部材を用意し、当該保持部材の挿入孔に両支柱部を挿入して設置する。
【００１８】  なお図面により示された各形状は当考案の主旨を逸脱しない範囲において様々な変形例が考えられるため、図面に示された形態が当考案の範囲を限定するものではない。
【図面の簡単な説明】
【００１９】
【図１】は携帯用折りたたみ保安資材の使用時における斜視図である。
【図２】は携帯用折りたたみ保安資材及び本考案にかかる補強構造の使用時における正面図である。
【図３】は本考案にかかる補強構造の図２、Ａ部を図４ｂ−ｂ線で切断した断面詳細図である。
【図４】は携帯用折りたたみ保安資材の使用時における平面図である。
【図５】は本考案にかかる補強構造の図２、Ａ部を図２ａ−ａ線で切断した断面詳細図である。
【図６】は携帯用折りたたみ保安資材の脚部の格納様態を示す斜視図である。
【図７】は本考案にかかる補強構造の図２、Ａ部の参考斜視図である。
【符号の説明】
１は表示部
２ａは支柱部甲
２ｂは支柱部乙
３ａは案内溝甲
３ｂは案内溝乙
４ａは枢軸甲
４ｂは枢軸乙
５ａはピン甲
５ｂはピン乙
６ａは補強体甲
６ｂは補強体乙
７は保持部材
【図１】
0003102180.tif 000003
【図２】
0003102180.tif 000004
【図３】
0003102180.tif 000005
【図４】
0003102180.tif 000006
【図５】
0003102180.tif 000007
【図６】
0003102180.tif 000008
【図７】
0003102180.tif 000009
(57)【要約】【課題】里山の山林が、竹の繁茂により荒れている。その竹を利用して、草花でも大自然の趣が感じられる花器を作り、農村の高齢者にも無理の無い生産活動を提供する。本件はそのため、高齢者にも製作が出来る構造にして、自然を感じて頂ける、あたたかい花器の提供を目的とするものである。【解決手段】本案は、幾つかの課題を解決する為に、竹本来の形状と特性を活かす。金属や樹脂等は極力使わないで、塗装はせず素朴さを表現し、自然素材以外の花器にくらべて、時間の経過とともに変化する色艶も、形状で花や草と融和する工夫をした。さらに、高齢者や婦人を容易に製作に参加させる為に、単純な形とし、花挿し用の穴の大小と数で、それぞれの花器に個性を出す。さらに加工の容易さと、浮式水量計の設置で課題の解決手段とする。【選択図】  図１
0003102106.tif 000002
【実用新案登録請求の範囲】
【請求項１】
竹を水平に置く形で、竹の両端に節を残して切った竹筒の、節と節との間を水槽として利用する、竹筒の上部に丸い大小の穴を開けて、低部に板状の竹で台を取付けて安定させ、上部の穴にはパイプをガイドとして取付け、長い花草が倒れない様に安定させる、穴の一つにはガイドパイプと水の量を示す浮きを設置して、外部から水量の解る様にする、その浮は実用のみならず、遊び心のデザインとして楽しめ、また子供達に花と水への興味を持たせる目的とする竹筒花器。
【考案の詳細な説明】
【技術分野】
【０００１】本案は、間伐竹材を用いて、自然材の特徴を生かし、転倒を防ぐ台を付け、草花が挿せる丸い大小の穴を開けた花器に関する。
【背景技術】
【０００２】今まで、縦型の花器は見られたが、横置きで外観上、竹の自然の姿を見せるものは、殆ど見られなかった。加工した竹材は色の変化が早く、短期間の使い捨てであった。
【考案の開示】
【考案が解決しょうとする課題】
【０００３】本案は、自然の中に有る草花用に自然の竹をそのまま活かした花器で、小さな自然環境を表現させるものです。そして山里の多くの人々も捨ててしまった、かけがえの無い自然を価値有る物にして守りたいのです。本考案は、色あせの早い竹材花器を、形状により長い年月使える物にする。
【課題を解決するための手段】
【０００４】本案は、自然の竹を長年月活かす為、草花の差し込み口を円形の穴で最小とし、横置きの竹に絡めた草花や蔓により、変化する竹の色とも融合する。また横に置かれた竹が醸し出す美と、竹筒の持つ保水力とによる製品力を手段として講じたものである。
【考案の効果】
【０００５】以上、詳述したように、過去の青竹の美しさを強調した花器とくらべ、竹筒の色の変化に合わせた、花、草、蔓などを飾ることにより、自然な草花の美を表現する事ができ、この花器を長年月にわたり愛用する事が出来る。
【考案を実施するための最良の形態】
【０００６】本案は、小さな野の草花も、生き生きと見ることが出来る天然花器の効用をつかさどる。本考案の大きな特色は、竹の太さや長さ、さらに節の数により、様々な味を表現する事ができる。さらに、竹の表面に文字や絵を刻む事により、多年に渡り思い出や記念の効果を発揮させる事が出来る。図面１の本体の節付き竹筒は、小さな穴に草花を生けるため、花持ちが良い。また丈の高い草花は、図面２のガイドパイプのある穴に挿すと、倒れない。図面５のうきの浮き沈みにより、幼児等に植物と水の関係を自然に見せることが出来る。また材料の竹は、切出してからの経過日数により、表面の色と艶に変化があって、草花の生け方の工夫によって、それぞれに趣のある特徴が出せて、手作りの味も出す事が出来る。
【図面の簡単な説明】
【０００７】
【図１】本考案の花器の横からの断面図。
【図２】本考案の花器の上からの図。
【符号の説明】
１………節付き竹筒        ２………ガイドパイプ        ３………花と草        ４………水面        ５………浮式水量計        ６………安定台
【図１】
0003102106.tif 000003
【図２】
0003102106.tif 000004
(57)【要約】      （修正有）【課題】食中毒と院内感染の予防を目的とし皮膚荒れや周辺機器をサビらせるなどの弊害もなく，間違って目や口に入っても安全で刺激性の少ない次亜塩素酸水を使用し，手の消毒と乾燥を一体型で自動的に行う装置を提供する。【解決手段】上記目的の為に，手を挿入室5に入れると近接センサ−4が感知し，ポンプ8が作動し，次亜塩素酸水タンク1より次亜塩素酸水がスプレ−ノズル2から噴霧され，これで手を洗浄しこの噴霧完了後に送風機3が作動してエア−ノズルから高速エア−が吹き出し手の乾燥を行う。手が挿入室から引き抜かれたことを近接センサ−が感知し，送風機が停止する。次亜塩素酸水を消毒液として使用するためのタンクを設けている。【選択図】図１
0003102108.tif 000002
【実用新案登録請求の範囲】
【請求項１】
次亜塩素酸水タンク１とスプレ−ノズル２と送風機３と近接センサ−４と挿入室５とエア−ノズル６と噴霧調整タイマ−７とポンプ８を備えたことを特徴とする手の消毒装置。
【請求項２】
消毒液として使用される次亜塩素酸水の噴霧量を噴霧量調整タイマ−７により可変できることを特徴とする請求項１に記載の手の消毒装置。
【考案の詳細な説明】
【技術分野】
【０００１】本考案は，手の消毒を行う装置に関してのものである。
【背景技術】
【０００２】近接センサ−で感知し消毒液タンクよりポンプとスプレ−ノズルを使用し消毒液を噴霧し，自然乾燥させることは，手の消毒として実用されている。【０００３】しかし従来の方法はアルコ−ル噴霧であり，手荒れや間違って目や口に入った場合の安全性についての問題があった。【０００４】又，電解水製造装置から直接噴霧をした場合は，電解水製造装置内部の電極に水中のカルシウムが付着したり原水量や原水圧の変動により，殺菌力を一定に保てないことや食塩を電気分解しているために，ナトリウムが電解水の中に残り，皮膚の角質を落してしまう欠点があった。
【考案の開示】
【考案が解決しようとする課題】
【０００５】解決しようとする課題は，アルコ−ル消毒による手荒れや間違って目や口に入った場合の安全性や刺激性，又，電解水製造装置から直接噴霧をした場合の殺菌力を一定に保てないことや手の角質を落してしまう欠点を解消することである。
【課題を解決するための手段】
【０００６】本考案は，上記の目的を達成するために次亜塩素酸を用いることである。
次亜塩素酸水は，殺菌力の主体である次亜塩素酸をｐＨ６．０で９０％以上含んでおり少量を噴霧するだけでも，消毒力があります。【０００７】次亜塩素酸水は，無隔膜の電解槽で塩酸を電気分解することにより生成されており，従来の食塩を電気分解する方法の電解水と違い，手や指の角質を落して肌荒れを誘発するナトリウムを含んでおりません。【０００８】次亜塩素酸水を使用するためのタンクを設けたことにより，電解水製造装置から直接噴霧した場合と違い，電解水製造装置の電極に水中のカルシウムが付着したり原水量や原水圧の変動により，殺菌力の主体である次亜塩素酸の含有率が変わり殺菌力が落ちることがありません。
又，現在手の消毒に使用されている強酸性電解水の様に，周辺機器を錆びさせてしまう事もなく，目や口に間違って入ってしまった場合でも刺激性もなく使用できます。【０００９】次亜塩素酸水は，平成１４年６月に食品添加物の認可を受けておりアルコ−ル系の消毒液の様に，皮膚乾燥から手荒れになることもなく，目や口に間違って入ってしまった場合でも安全で刺激性もなく使用できます。
【考案の効果】
【００１０】次亜塩素酸水を噴霧することにより，手荒れを起こさずに刺激性もなく，弱酸性域のため周辺機器を錆びらせることやタンク内臓方式のため殺菌力も低下しないで安全に手の消毒が行える利点がある。
【考案を実施するための最良の形態】
【００１１】手の消毒乾燥を可能な限りコンパクトにし，ひとつの挿入室で消毒乾燥を行える様にし，排水配管を不要としたことにより機器の移動が簡単に行える様に実現した。
【実施例】
【００１２】図１は，本考案装置の側面図である。
手を挿入室５に入れると近接センサ−４が感知し，ポンプ８が作動し次亜塩素酸水タンク１より次亜塩素酸水がスプレ−ノズル２から噴霧され，これで手を洗浄しこの噴霧完了後に送風機３が作動し，エア−ノズル６より高速エア−が吹き出し手の乾燥を行う。
乾燥が完了し手が挿入室から引き抜かれると近接センサ−４が感知し送風機３が停止する。【００１３】図２は，消毒に使用する次亜塩素酸水の噴霧量を可変できることを示した結線図で噴霧量調整タイマ−７の設定を変更することにより，噴霧量を可変することができる。
【産業上の利用可能性】
【００１４】クリ−ンル−ムや半導体の製造工場などの手の消毒が不可欠な分野の用途にも適用できる。
【図面の簡単な説明】
【００１５】
【図１】本考案による装置の側面図である。
【図２】消毒に使用する次亜塩素酸水の噴霧量を可変できることを示した結線図である。
【符号の説明】
【００１６】１  次亜塩素酸水タンク
２  スプレ−ノズル
３  送風機
４  近接センサ−
５  挿入室
６  エア−ノズル
７  噴霧量調整タイマ−
８  ポンプ
【図１】
0003102108.tif 000003
【図２】
0003102108.tif 000004
(57)【要約】【課題】従来の浴槽内壁面の自動洗浄装置は、浴槽の改造を要したり、また浴槽以外の部分に制御機を設置するなど、非常に大掛かりかつ高価であったが、本考案は浴槽内を含めた浴室内の清掃をできるだけ簡単に、効果的にかつ安価に完了させようとするものである。【解決手段】入浴後の残り湯又は水の残った浴槽内に本体を浮置し、本体内に収容した洗剤を回転機能を有する噴射口から噴射し、その後入浴後の残り湯又は水を本体内部に吸導し先の噴射口から同様に噴射することで、浴槽内壁面に付着した汚れや残った洗剤を洗い流すことが出来る洗浄器具を提供する。又、この洗浄器具においては、先の機能の他、本体下部に専用のブラシをセットし、本体上部に専用のハンドルを設置した後、本体下部にセットした専用のブラシを電動により回転させることで、浴槽内壁面及び上面に付着した汚れを除去する機能も有している。【選択図】  図１
0003102103.tif 000002
【実用新案登録請求の範囲】
【請求項１】
入浴後の湯又は水が残っている浴槽内に本体を浮置し、本体内に収容した洗剤を回転機能を有する噴射口から噴射し、その後浴槽内に残された湯又は水を本体内に吸導し、先と同じ回転機能を有する噴射口から噴射することにより、浴槽内壁面の清掃を簡単にすることができる洗浄器具。
【請求項２】
専用ブラシ及び専用ハンドルを本体に付加させ、取り付けた専用ブラシを自動で回転させることにより、浴室内床面及び浴槽内部の清掃を簡単にすることができる機能も有した請求項１の洗浄器具。
【考案の詳細な説明】
【技術分野】
【０００１】本考案は、電動により浴室内の床面及び壁面並びに浴室内を洗浄する清掃用具である。
【背景技術】
【０００２】一般的に浴室内部には湿気がたまりやすく、こまめに清掃をしない場合には付着した汚れが除去しにくくなるだけでなく、カビ等が繁殖し不衛生になりやすいが、一般的に浴室内特に浴槽内の清掃は長時間無理な姿勢をすることが多く大変であった。
［考案の開示］
【考案が解決しようとする課題】
【０００３】従来の浴槽内壁面の自動洗浄装置は、浴槽の改造を要したり、また浴槽以外の部分に制御機を設置するなど、非常に大掛かりかつ高価であったが、本考案は浴槽内を含めた浴室内の清掃をできるだけ簡単に、効果的にかつ安価に完了させようとするものである。
【課題を解決するための手段】
【０００４】入浴後の残り湯又は水の残った浴槽内に本体を浮置し、本体内に収容した洗剤を回転機能を有する噴射口から噴射し、その後入浴後の残り湯又は水を本体内部に吸導し先の噴射口から同様に噴射することで、浴槽内壁面に付着した汚れや残った洗剤を洗い流すことが出来る洗浄器具を提供する。
又、この洗浄器具においては、先の機能の他、本体下部に専用のブラシをセットし、本体上部に専用のハンドルを設置した後、本体下部にセットした専用のブラシを電動により回転させることで、浴槽内壁面及び上面に付着した汚れを除去する機能も有している。
【考案を実施するための最良の形態】
【０００５】電源プラグをコンセントにつなぎ、図３に示すリモートコントローラーに設置された図３の主電源７をスプレーにあわせる。本体上面に設置された図１の洗浄剤収容器２に市販の浴槽用液体洗剤を入れ、当該収容器の蓋を閉める。
本体を残り湯または水が残っている浴槽内に浮置し、浴槽の水抜栓を開放し、浴槽上面を隙間なく、例えば浴槽用の蓋などで被覆する。
本体とコードにより繋がっている図３リモートコントローラーのスタートボタン８を押下することにより、図１の洗浄剤収容器２内に収容された液体洗浄剤が、本体上部に設置された図１の３箇所の噴射口１から噴射され、同時に図１の噴射口回転台４が内蔵されたモーターにより回転する。これにより、当該液体洗浄剤は浴槽内壁面に万遍無く噴射され、浴槽内壁面に付着した垢汚れ等に作用する。噴射されることにより図１の洗浄剤収容器２に収容された洗浄剤が、なくなると図１の噴射口回転台４の回転が停止する。
次に、本体下部に設置された図２の取水口５から浴槽内に残存する残り湯または水を、モーターにより本体内に吸導し、液体洗浄剤を噴射した３箇所の図１の噴射口１から噴射され、同時に図１の噴射口回転台４の回転が再開する。これにより、先に浴槽内壁面に付着した汚れに噴射された液体洗浄剤を、浴槽内に残存する残り湯または水が浴槽内の水抜栓より完全に排出されるまでの間、反復継続的に噴射し続けることにより洗い流す。
浴槽内の残り湯または水が、浴槽内の水抜栓から完全に排出され、本体下部に設置された図２の取水口５からの残り湯または水の吸導が出来なくなると、吸導動作を停止するとともに、図１の噴射口回転台４の回転も停止する。【０００６】浴槽内の洗浄が終了した後、浴槽上面を被覆する例えば浴槽用の蓋を開放し、本体下部に３箇所設置されたの図２のブラシ差込穴６に図４の専用ブラシ１１を取り付けるとともに、本体上面に設置された図１のハンドル差込穴３に図４の専用ハンドル１０を取り付け、図３のリモートコントローラーに設置された図３の主電源７をブラシに合わせ、図３のスタートボタン８を押下することにより、本体下部に設置した専用ブラシが内蔵されたモーターにより回転をするので、適宜の洗剤等を汚れのひどい部分に滴下等し、専用ハンドルにより本体を支持し洗浄を行う。
【図面の簡単な説明】
【０００７】
【図１】本考案の斜視図
【図２】本考案の下部からの正面図
【図３】本考案に付帯する部品としてリモートコントローラー
【図４】本考案に付帯するリモートコントローラー以外の部品
【符号の説明】
【０００８】１    噴射口
２    洗浄剤収容器
３    ハンドル差込穴
４    噴射口回転台
５    取水口
６    ブラシ差込穴
７    主電源
８    スタートボタン
９    吊下用フック
１０  専用ハンドル
１１  専用ブラシ
【図１】
0003102103.tif 000003
【図２】
0003102103.tif 000004
【図３】
0003102103.tif 000005
【図４】
0003102103.tif 000006
(57)【要約】      （修正有）【課題】水切りネットを使用した家庭用流し台のゴミ受けカゴにおいて、ゴミ受けカゴに設けられた水切りネットに溜まった生ゴミの水分を簡単に脱水することができる流し台のゴミ受け水切り用具を提供する。【解決手段】生ゴミ１１に残留する水分を脱水させる為の押圧板４及びその押圧板４を圧縮方向１２へ手で押す為の取つ手２からなる流し台のゴミ受けカゴ水切り器具。【選択図】図６
0003102104.tif 000002
【実用新案登録請求の範囲】
【請求項１】
流し台のゴミ受けカゴに溜まった生ゴミの脱水目的において、生ゴミを圧縮させる為の下面に網目溝を設けた押圧板及び押圧板を押す取っ手からなる流し台のゴミ受け水切り器具である。
【請求項２】
前記、水切り器具の押圧板外縁部に水切りネットを係止固定させる為の突起部を複数個設けた固定板を、スプリングによって常に付勢を持たせた状態で設けたことを特徴とする請求項１記載の流し台のゴミ受け水切り器具である。
【考案の詳細な説明】
【技術分野】
【０００１】  本考案は、家庭用流し台のゴミ受けカゴに溜まった生ゴミに残留する水分を脱水させる器具に関する。
【背景技術】
【０００２】  ゴミ受けカゴに備え付けられている水切りネットに溜まった生ゴミを廃棄する際、生ゴミに残留する水分が十分に水切りされていない状態で家庭用ゴミ袋に処理されている。【０００３】  このような状態で生ゴミを処理した場合、生ゴミに残留している水分が家庭用ゴミ袋に漏れだし非常に不衛生である。
【考案の開示】
【考案が解決しようとする課題】
【０００４】  本考案の目的は、流し台のゴミ受けカゴに備えられている水切りネットに溜まった生ゴミを圧縮することにより、生ゴミの残留水分を脱水させることを目的とした流し台のゴミ受けカゴ水切り器具を提供することにある。
【課題を解決するための手段】
【０００５】  本考案は、手で押す為の取っ手及び生ゴミを圧縮させる押圧板からなり、その押圧板の下面部全面に生ゴミの付着を防止する網目溝を設けた当核水切り器具である。【０００６】  さらに、前記水切り器具に具備している押圧板の外周縁に水切りネットを係止させる突起部を複数設けた固定板をスプリングにより常に付勢を持たせた当核水切り器具である。
【考案の効果】
【０００７】  請求項１に記載の構成によれば、流し台のゴミ受けカゴに備えられた水切りネットに溜まった生ゴミを当核器具を用いて圧縮することで、生ゴミの残留水分が脱水されると共に生ゴミの体積も小さくなるという相乗効果が兼ね備わり、家庭用ゴミ袋に生ゴミを廃棄する際、汚水の漏れがなく衛生的に処理が可能となる。
また、当核水切り器具は複雑な構造を要さず安価に提供することが可能である。【０００８】  請求項２に記載の構成によれば、前記水切り器具に固定板を追加したことにより、固定板に設けられている複数の突起部が水切りネットを係止固定することで、確実に生ゴミの脱水が可能となる。
【考案を実施するための最良の形態】
【０００６】  図１、図２は本実施形態の請求項１記載の水切り器具１の正面図及び斜面図である。
手で押す為の取っ手２と生ゴミを圧縮させる押圧板４からなり、押圧板４の下面にゴミ付着を防止する網目溝８を全面に設けたことからなる水切り器具。【０００７】  図３、図４は本実施形態の請求項２記載の水切り器具１の部分断面をした正面図及び斜視図である。
請求項１記載の水切り器具１の押圧板４の外周縁に固定板３を設け、その固定板３はスプリング５により常に下方向へ付勢された状態で設けられている。
また、図４に示す固定板３の下面には水切りネット１０を係止させる先の尖った突起部７を複数設け、これにより生ゴミを圧縮させる時に水切りネット１０が係止固定され確実に脱水が可能となる。【０００８】  図５、図６は本実施形態の請求項２記載の水切り器具１の使用例を示す図である。
図５に示すように、ゴミ受けカゴ９に備えられている水切りネット１０に溜まった生ゴミ１１を脱水するために、当核水切り器具１をゴミ受けカゴ９にセットした状態である。
図６に示すように、取っ手２を圧縮方向１２へ圧縮することにより生ゴミ１１の残留水分は脱水され、体積も小さくなる。
また、圧縮させる際、水切りネット１０はゴミ受けカゴ９の内縁部にズレを生じる為、このズレを押さえる為に固定板３の下面に突起部７を設けてある。
【図面の簡単な説明】
【０００９】
【図１】  本考案における水切り器具の正面図。
【図２】  本考案における水切り器具の斜視図。
【図３】  本考案における固定板を設けた水切り器具の部分断面を施した正面図。
【図４】  本考案における固定板を設けた水切り器具の斜視図。
【図５】  本考案における使用例を示した正面図。
【図６】  本考案における使用例を示した正面図。
【符号の説明】
【００１０】  １  水切り器具
２  取っ手
３  固定板
４  押圧板
５  スプリング
６  スプリング押さえ
７  突起部
８  網目溝
９  ゴミ受けカゴ
１０  水切りネット
１１  生ゴミ
１２  圧縮方向
【図１】
0003102104.tif 000003
【図２】
0003102104.tif 000004
【図３】
0003102104.tif 000005
【図４】
0003102104.tif 000006
【図５】
0003102104.tif 000007
【図６】
0003102104.tif 000008
(57)【要約】      （修正有）【課題】突然の失禁や生理時、通常のショーツ装着で漏れを防ぎ、廃棄は簡便、ゴミは無く、身体は清潔が保持出来る水溶性紙付きショーツの提供。【解決手段】ショーツに、ゴミが倍増する高吸水性樹脂類は使わず、水溶性紙の内蔵を可能にしたショーツの考案で、身体の清潔、爽快感、又安心感とゴミ公書防止にも役立つものである。更に水溶性紙は体位の変動にも動かず、通常のショーツと同じで、常時使用すればショーツは汚れ難い。【選択図】図２
0003102107.tif 000002
【実用新案登録請求の範囲】
【請求項１】
股表布（１）の上に之と同じ大きさの防水布（２）を重ね、その縁と、開口部縁（４）を設けた水溶性紙押え布（３）の縁を閉じ、その間に水溶性紙（５）を挿入可能にした水溶性紙付きのショーツ。
【考案の詳細な説明】
【技術分野】
【０００１】  本案は女性の体型上多発する軽失禁又は軽生理時にトイレに流せる水溶性紙を、ショーツ股部に挿入可能にした清潔、簡便、ゴミ軽減に配慮した考案である。
【背景技術】
【０００２】  従来軽失禁用ショーツとして多売されているものは、小児のオムツパンツと同じ高吸水性樹脂を股マチ部に挿入利用したものである。  一旦尿を吸収し微細な球体となった高吸水性樹脂内の尿は、洗濯しても完全除去は困難で、オムツの様に毎回の廃棄は不経済であり又、ゴミは倍増する。
【考案の開示】
【考案が解決しようとする課題】
【０００３】  軽失禁用ショーツに高吸水性樹脂を内蔵したものの利用では、終日之を肌身につけ、排尿時にトイレに流すことは出来ず、非衛生、不快不便である。
【課題を解決する為の手段】
【０００４】  本案はショーツの股表布（１）の上部に通気性のある防水布（２）を置き、更にその上に開口部縁（４）のある穴付き、水溶性紙押え布（３）を置き、周囲を縫い合わせた構造である。
本案使用時には、防水布（２）と水溶性紙押え布（３）の間に水溶性紙（５）を入れ、常時は排尿・排便後水溶性紙（５）の上部のみを肌清拭に使用、失禁時又生理時は水溶性紙（５）の全部をトイレに流して新しい水溶性紙（５）を防水布（２）と水溶性紙押さえ布（３）の間に入れて常時使用する。
防水布（２）は通気性のある布を使用する。
水溶性紙押さえ布（３）は薄く速乾性、消臭性のあるものの利用がベストである。
水溶性紙（５）は上から取りやすくする為数枚紙を重ね１セット状にしておく。
尚、本案は、水溶性紙（５）を入れる位置を移動すれば男性用としても利用出来る。
【考案の効果】
【０００５】  ▲１▼本案の防水布（２）は通気性があり着用して通常のショーツと変らず健康に良い。
▲２▼不意の失禁、生理時に漏らさず安心できる。
▲３▼排出された尿、血液は永く身体に保持せず、その都度トイレで流せて爽快である。
▲４▼本案は高吸水性樹脂を使用せず、ゴミにならず環境保全に役立つ。
▲５▼常時、本案を着用し、排尿・排便毎に水溶性紙（５）の上部を肌清拭に利用すれば経済的でショーツは汚れない。
【考案を実施する為の最良の形態】
【０００６】  本案は通常のショーツと同じで違和感なく着用出来、旅行時等不意の漏尿、生理時に安心できる。又、水溶性紙（５）はトイレに流せて便利である。
【実施例】
【０００７】  本案使用時は水溶性紙（５）を数枚重ねて防水布（２）と水溶性紙押さえ布（３）の間に挿入、「考案の効果」▲２▼を考え▲５▼の様に使用実施すれば、健康面、環境保全に貢献出来る。
【産業上の利用可能性】
【０００８】  本案は女性の生理時や男女老齢化による機能低下で起こる失禁等の不便さを解決する考案品である。
【図面の簡単な説明】
【０００９】
【図１】正面図
【図２】水溶性紙を外した股裏表面図
【図３】水溶性紙斜視図
【図４】水溶性紙をセットしたＢ，Ｂ′断面図
【符号の説明】
【００１０】      １…股表布
２…防水布
３…水溶性紙押さえ布
４…開口部縁
５…水溶性紙
【図１】
0003102107.tif 000003
【図２】
0003102107.tif 000004
【図３】
0003102107.tif 000005
【図４】
0003102107.tif 000006
(57)【要約】【課題】計器具を使わず、目視で電圧印加や通電状態を確認できる電線を製造する。【解決の手段】  ２本の銅線１を絶縁体２で被覆して電線を製造する時、導線間の絶縁体部分に誘電発光体３を封入することにより、通電時には発光し視認性の有る電線が製造される。【選択図】  図１
0003102109.tif 000002
【実用新案登録請求の範囲】
【請求項１】
銅線を電気絶縁体で被覆した交流配電用電線において、銅線間の絶縁体部分にＥＬ発光素子などの誘電発光体を封入して、電圧印加や通電により発光することを特徴とする電線。
【考案の詳細な説明】
【技術分野】
【０００１】  本考案は、電圧印加や通電していることが目視で確認できる交流配電用の電線に関するものである。
【背景技術】
【０００２】  従来、配電線の電圧印加や通電状態はテスター等で計測するか、実際に電気機器を接続し稼働させて確認している。
【考案の開示】
【考案が解決しようとする課題】
【０００３】  電線への通電の有無は外観からでは確認出来ない為、その都度必要に応じて計器具等を使って確認されている。
【課題を解決するための手段】
【０００４】  電線の銅線間の絶縁体部分にＥＬ発光素子などの誘電発光体を封入して、電圧印加や通電時には発光する。
【考案の効果】
【０００５】  電線が通電状態の時は、絶縁体の銅線間に封入された誘電発光体が、２本の銅線間に発生する電場により励起されて発光し、計器具を使用しなくても常時電圧印加や通電状態を目視で確認出来る。
【考案を実施するための最良の形態】
【実施例】
【０００６】  図面の様に、２本の銅線１を絶縁体２で被覆して電線を製造する時、導線間の絶縁体部分に誘電発光体３を封入することにより、通電時には発光し視認性の有る電線が製造される。
【図面の簡単な説明】
【０００７】
【図１】本考案にかかる電線の概略的斜視図である。
【図２】本考案にかかる電線の切断断面図である。
【符号の説明】
【０００８】１  銅線
２  絶縁体
３  誘電発光体
【図１】
0003102109.tif 000003
【図２】
0003102109.tif 000004
(57)【要約】      （修正有）【課題】しもとり本体に櫛をつけてガラスの汚れも落とし、髪もとかすことができ、時間を短縮できるようにしたものである。【解決手段】しもとり本体１に櫛３を設け、特別なアール５をつけた構造とする。【選択図】図１
0003102146.tif 000002
【実用新案登録請求の範囲】
【請求項１】
しもとり本体に櫛を付けて髪もとかせて汚れも落とすことを特徴とする櫛つきしもとり
【考案の詳細な説明】
【０００１】本考案はしもとりに櫛を付けたしもとりに関するものである。
【０００２】ガラス等において汚れを落とすだけの物であった。
【０００３】朝の車のガラスの霜を簡単にとりなをかつ自分の髪も治す朝の忙しい時間を解決しようとするものである。
【０００４】車のボディーガラス等を傷つけづ汚れも落とすしもとりの先端にアールを付て氷付いた霜等を簡単にとりとくに寒冷地の自動車の頑固な霜すばやく落す物です。
【０００５】しもとり本体の中央から櫛となり中央に弾力をつけて先のアールの付いた角度で汚を落すものです。
〔実施例〕
【０００６】以下、添付図面に従って一実施例を説明する。１は、耐久性のプラスチックス等適宣素材にて一体化形成されたしもとり本体。２は、どこにでも、すぐかけられるかべ穴です。３は、櫛目のととのった櫛です。４は、本体の力をささえる安定坂。５は、アールが付いたしもとり刃。
【０００７】５ａは、アールが付いた部分でカーブ又でこぼこ部分もきれいにします。
〔考案の効果〕
【０００８】上述の様に、本考案のしもとりは、霜とりながら髪の毛もなをせると言う物である。特に寒冷地の氷ついたウインドガラスをすばやく、きれいにする物である。
【図面の簡単な説明】
【図１】本考案の櫛つきしもとりの実施例を示す正面図である。
【図２】本考案の櫛つきしもとりの実施例を示す断面図である。
【符号の説明】
１  櫛つきしもとり本体
２  かべ穴
３  櫛
４  安定坂
５  しもとり刃
【図１】
0003102146.tif 000003
【図２】
0003102146.tif 000004